(57)【要約】【課題】顧客が希望する商品についての多種多様な商品情報（例えば、精肉等の生鮮食品などでは個々の産地、生産者情報および調理法など）をリアルタイムに広告できるショーケースを提供すること。【解決手段】透明体を有するショーケースと、該透明体に粘着剤を介して貼着された少なくとも１個以上の電極と、該電極に電気的に接続された検出回路ユニットと、該検出回路ユニットに電気的に接続された映像および音声表示装置とを具備するショーケースシステムであって、前記電極の電気抵抗変化または前記電極の静電容量変化に基づき、前記電極への人体の接触または接近を、前記検出回路ユニットが認識して出力信号を発生し、該出力信号を前記映像および音声表示装置が受信することにより、該映像および音声表示装置が動作するショーケースシステムにおいて、前記電極として、透明フィルム上に少なくとも１個以上の透明導電膜が積層された電極を用いること。【選択図】図１
2007215904.tif 000002
【特許請求の範囲】
【請求項１】
商品を展示するために表面がガラス等の透明体で覆われたショーケースにおいて、前記ガラス等の透明体表面に透明導電性を有するフィルムを貼り付け、前記ショーケースの一部に検出回路ユニットが装着され、前記フィルムの透明導電性部分と前記検出回路ユニットが電気的に接続されており、さらに前記ショーケース周辺には商品を映像と音声で説明する表示装置が設置され、検出回路ユニットの出力信号が前記表示装置に送られ、前記フィルム表面を人が接触または接近した場合、前記検出回路ユニットによって出力信号を発生し、前記出力信号の指令によって予め用意されていた該等商品の説明が表示装置に現れることを特徴とするショーケースシステム。
【請求項２】
請求項１に記載のショーケースシステムにおいて、商品ごとに対応した複数の前記透明導電性を有するフィルムが貼り付けられ、前記検出回路ユニットと複数の透明導電性フィルムとの間には電気信号を切り換える切換器が配置され、前記透明導電性フィルムに人が接触または接近したことを検出するために、切換器によって電気信号を順次切り換えて、接触または接近された前記導電性フィルムを認識し、そのフィルムに対応した商品の説明が表示装置に現れることを特徴とするショーケースシステム。
【請求項３】
請求項２に記載のショーケースシステムにおいて、人が接触または接近した特定の透明導電性フィルムを認識するために電気信号を切り換える切換器と前記検出回路ユニットが一体化したことを特徴するショーケースシステム。
【請求項４】
請求項１乃至３のいずれか１項に記載のショーケースシステムにおいて、前記透明導電性フィルムへの人の接触または接近を検出する方法として、人の接触または接近によって前記フィルム内の導電性部分の電気抵抗変化を検出する方法であることを特徴とするショーケースシステム。
【請求項５】
請求項１乃至３のいずれか１項に記載のショーケースシステムにおいて、前記透明導電性フィルムへの人の接触または接近を検出する方法として、前記透明導電性フィルムにおける前記導電性層が交流信号の電極部として作用し、人の接触または近接による静電容量変化を検出する方法であることを特徴とするショーケースシステム。
【請求項６】
請求項１乃至５のいずれか１項に記載のショーケースシステムにおいて、既存のショーケースに前記透明導電性を有するフィルムが簡単に貼り付けることができ、また前記電気的切換器や前記検出回路ユニットおよび商品説明のための前記表示装置が簡単に設置できることを特徴とするショーケースシステム。
【発明の詳細な説明】
【技術分野】
【０００１】
本発明は商品を展示および販売するためのショーケースにおいて、顧客の購買意識を増加させる目的で、商品説明を行う表示装置を付加したショーケースに関する。
【背景技術】
【０００２】
商品を展示および販売するために表面がガラス等の透明体で覆われたショーケースはスーパーマーケット等の精肉コーナー、惣菜コーナー、飲料用冷蔵コーナー或いは宝石店での商品陳列など幅広い分野で利用されている。特にスーパーマーケットでは消費者の購買意欲を増加させる目的で商品説明を音声発生装置によって宣伝している。
例えば特開平５−３５２８９ではショーケース周囲の騒音レベル測定を行い、この結果を基にショーケース周辺での顧客有無を判断し、宣伝のための音声発生装置の動作開始および停止を行っている。（特許文献１参照）
また、ビデオテープ等の映像機器を利用して顧客に常時商品説明をしている場合も見受けられる。一方、顧客側からの要求としては商品個々の情報、例えば精肉等の生鮮食品などでは個々の産地・生産者情報・調理法など個別の詳細情報を求めるニーズが高まっている。
【０００３】
【特許文献１】特開平５−３５２８９号公報
【発明の開示】
【発明が解決しようとする課題】
【０００４】
現代の顧客における購入商品の詳細な情報要求を考えると、従来からの音声発生装置または映像機器による販売側からの限られた商品での一方的は情報提供では顧客は満足しない現状にある。しかし、展示商品すべてにおいて、顧客の選択で任意の商品情報を提供するためには、既存のショーケースから陳列商品全部を顧客の選択にて商品説明できる機能を有する新規に開発されたショーケースへの設備変更が必要であり、販売側にとっては大きな負担となってしまう。また、既存ショーケースを極力活用するとして同様な機能を得るためには、ショーケースの表面で各商品に対応した部分に電気的なスイッチを配置して顧客に購入希望の商品部分のスイッチを押させて外部表示機器によって商品情報を提供することも考えられるが、この場合スイッチユニットによってショーケース内部の視界が妨げられ、また全体の美観も損ねる。スイッチ部だけを纏めてショーケースの表面外に設置することも考えられるが、顧客にとっては目的商品から離れるため、操作性の悪いものになってしまう。
【０００５】
本発明の課題は、顧客の商品情報要求に応え、既存のショーケースを最大限活用しさらに従来のショーケースの美観を損ねることなく、販売側の設備負担を押さえ、安価で設置場所の制限を受けにくく、容易に施工可能で、個々の商品情報を提供可能なショーケースシステムを提供することにある。
【課題を解決するための手段】
【０００６】
課題を解決するための手段として、
請求項１記載の発明は、商品を展示するために表面がガラス等の透明体で覆われたショーケースにおいて、該ガラス等の透明体表面に透明導電性を有するフィルムを貼り付け、該ショーケースの一部に検出回路ユニットが装着され、該フィルムの透明導電性部分と該検出回路ユニットが電気的に接続されており、さらに該ショーケース周辺には商品を映像と音声で説明する表示装置が設置され、検出回路ユニットの出力信号が該表示装置に送られ、該フィルム表面を人が接触または接近した場合、検出回路ユニットによって出力信号を発生し、該出力信号の指令によって予め用意されていた該等商品の説明が表示装置に現れることを特徴とするショーケースシステムである。
【０００７】
請求項２記載の発明は、請求項１に記載のショーケースシステムにおいて、商品ごとに対応した複数の透明導電性を有するフィルムが貼り付けられ、検出回路ユニットと複数の透明導電性フィルムとの間には電気信号を切り換える切換器が配置され、該透明導電性フィルムに人が接触または接近したことを検出するために、切換器によって電気信号を順次切り換えて、接触または接近された該導電性フィルムを認識し、そのフィルムに対応した商品の説明が表示装置に現れることを特徴とするショーケースシステムである。
【０００８】
請求項３記載の発明は、請求項２に記載のショーケースシステムにおいて、人が接触または接近した特定の透明導電性フィルムを認識するために電気信号を切り換える切換器と検出回路ユニットが一体化したことを特徴するショーケースシステムである。
【０００９】
請求項４記載の発明は、請求項１乃至３のいずれか１項に記載のショーケースシステムにおいて、透明導電性フィルムへの人の接触または接近を検出する方法として、該透明導電性フィルムにおける導電性層が交流信号の電極部として作用し、人の接触または近接による静電容量変化を検出する方法であることを特徴とするショーケースシステムである。
【００１０】
請求項５記載の発明は、請求項１乃至３のいずれか１項に記載のショーケースシステムにおいて、透明導電性フィルムへの人の接触または接近を検出する方法として、該透明導電性フィルムにおける導電性層が交流信号の電極部として作用し、人の接触または近接による静電容量変化を検出する方法であることを特徴とするショーケースシステムである。
【００１１】
請求項６記載の発明は、請求項１乃至５のいずれか１項に記載のショーケースシステムにおいて、既存のショーケースに透明導電性を有するフィルムが簡単に貼り付けることができ、また電気的切換器や検出回路ユニットおよび商品説明のための表示装置が簡単に設置できることを特徴とするショーケースシステムである。
【発明の効果】
【００１２】
本発明によれば、ショーケースを用いた商品販売において、陳列商品における顧客の商品情報の詳細要求に応えるために、新たに該機能を有した高機能型ショーケースシステムを導入しなくても、低コストで既存のショーケース上に顧客ニーズに応える新たな付加機能を有するショーケースシステムに変貌することができる。また、透明導電性フィルムを顧客が知りたい購入商品情報のタッチセンサー的スイッチとして活用しているため、ショーケース内部の視認性がよく、またショーケース全体の美観を損ねる心配もない。よって消費者にも販売側にも導入のメリットを与えることができる。
【発明を実施するための最良の形態】
【００１３】
以下、本発明におけるショーケースシステムの実施の形態について図を用いて説明する。先ず図１は本発明の基本的な構成を示す概要図である。ショーケース１の内部には商品が陳列されており、該ショーケース１の表面がガラス等の透明体で構成されているので内部の商品の視認性が高い状態である。このショーケースは従来から使用していた既存のものである。そして、該ショーケース１の表面には本発明である透明導電性を有するフィルム２が貼り付けられている。この透明導電性フィルム２の構成については後ほど説明する。そしてこの透明導電性フィルム２は顧客が商品の詳細説明を求めている商品に対応した正面に貼られているが、透明性が高いため、ショーケース１内部の商品を眺めるのには全く障害とならない。そして該ショーケース１のあまり目立たない部分に検出ユニット部３を配置し、導電性フィルム２と検出ユニット部３が電気的に接続されている。この接続線はあまり目立たない細い電線でも可能であるが、ショーケース１の正面を引き回す部分だけは、さらに内部の視認性向上と見栄え維持のため適度の幅の透明導電性フィルムを用いても構わない。さらにショーケース１の周辺、例えばショーケース１の天面上などに商品の詳細説明を行う表示装置４が配置され、検出ユニット部３と信号線で繋がっている。また透明導電性フィルム２の表面の一部には、顧客が該当商品の説明を求める場合、ここに触れさせるためのコメントが内部の視認性に影響を与えない程度で示されている。よって顧客が商品説明を求めるとき、顧客の手が該透明導電性フィルム２に接近、若しくは接触することになる。この時、検出ユニット部３は該透明導電性フィルム２における微少な抵抗値変化や大地間との静電容量変化を検出し、顧客が接近または接触したことを検出する。言わば透明導電性フィルム２がタッチセンサー的機能をする。そして検出ユニット部３は表示装置４に対して出力信号を出し、表示装置４ではその出力信号を受信して信号内容に応じた商品情報を映像および音声によって顧客に情報提供を施す。
【００１４】
次に、図２による本発明におけるショーケースシステムの実施の形態では、基本的な検出方法については図１と同様であるが、図２では複数の商品に対してそれぞれ単独の透明導電性フィルム２を各商品に対応した位置でショーケース表面部分に貼り付け、顧客が情報要求する商品に対応した透明導電性フィルム２に接近、若しくは接触したとき、該当する商品情報のみを表示装置４によって映像および音声で情報提供するものである。各透明導電性フィルム２から、図１と同様にあまり目立たない細い接続用の電線によって切換器５と電気的にそれぞれの導電性フィルム２が繋がっている。このとき、ショーケース１の正面を引き回す部分だけは、図１と同様に内部の視認性向上と見栄え維持のため適度の幅の透明導電性フィルムを用いてもよい。切換器５の後には検出ユニット部３が接続され、該切換器５は各透明導電性フィルム２と検出ユニット部３を素早い時間で順番に接続することを繰り返して行い、それぞれの透明導電性フィルム２において顧客の手がどの透明導電性フィルム２に近接・若しくは接触したかを常に監視するものである。そして、予め各透明導電性フィルム２には識別番号が付与され、切換器５および検出ユニット部３は、透明導電性フィルムごとの識別番号、および貼り付け位置、対応商品情報などがすべて関連付けされており、顧客が要求する商品情報の出力信号を表示装置４に与え、表示装置４ではその信号内容に応じた商品情報を映像および音声によって顧客に情報提供をするものである。ここでは、複数の透明導電性フィルム２を用い、切換器５によって電気的に順番に接続をし、顧客の手の近接・若しくは接触を監視する方法としたが、他の方法でも順次切換検出型の方法でも本発明に含まれるものとする。
【００１５】
また、図２において個々の透明導電性フィルム２をショーケース１の表面に貼り付ける方法としたが、ショーケース１の表面全面をカバーする大面積の透明フィルム上に、商品に対応する部分のみ透明導電性の処理を施し、各透明導電性部分から電線と同じ、電気的接続機能を有した透明導電性パターンによって、大面積フィルムの一箇所に集中的に引き回しされ電極構造を成し、ここから切換器５と接続される方法としてもよい。このような構成の透明導電性フィルムとすることで、ショーケース１への取り付け作業が容易になる。
【００１６】
図３のショーケースシステムにおいては基本的に図２と同じ構成であるが、切換器５と検出ユニット部３とを一体化し、スリム化を図り設置作業の簡単化を狙ったものである。また、ここでは図示していないが、さらに表示装置４も一体化し小型化・簡素化を実現させることも考えられる。
【００１７】
次に、本発明における透明導電性フィルムについて、図４および図５を用いて説明する。
図４および図５は本発明における透明導電性フィルム２がショーケース１の表面に貼られたときの基本的は断面図を示した一実施例である。ここに示した構成はほんの一例であり、透明基材に透明導電層を施し最終的に顧客の手の近接・若しくは接触を検出できる構成であれば構わない。図４における透明導電性フィルム２は、透明基材７の片面に透明導電層９の加工を施し、検出ユニット部３との電気的接続を行うために信号線１１を引き出し、透明基材７の他の片面にはショーケース１の表面におけるガラスと貼り合せるための粘着層１０が施されている。ここで、顧客の手の接触を検出する基本的な原理だが、例えば透明導電層９に信号線１１を介して直流電圧を印加しておく。そして顧客が透明導電層９に手を触れる。すると顧客の手の抵抗値の影響を受け、透明導電層９全体の抵抗値が変化したことになる。検出ユニット部３はこの微少な抵抗値変化を検出し、顧客の接触有無を判断する。この検出方法は一例であり、透明導電層の抵抗値変化分を捕らえる方法であれば他方式でも構わない。
また、ここでは図示していないが透明導電層９をふたつ用いて、各透明導電層９の間には薄い間隙を設け、手で押したときの圧力によって、ふたつの透明導電層が接触し、電気的に接続されたことを検出する方法も考えられる。
【００１８】
次に、図５における透明導電性フィルム２の構成だが基本的には図４で示した構成図とほぼ同じである。ただし、透明基材７の片面に透明導電層９の加工を施し、さらに透明導電層９を保護する目的でその上にハードコート層１２を施した構成である。図４の構成では透明導電層９に人間の手が直接触れられるため、長期に渡っては透明導電層９の特性劣化が心配される。よって、図５の構成ではこの透明導電層９の上面にハードコート層１２を加工し、手の直接接触による特性劣化や傷などによる透明導電層９のダメージを極力防ごうとするものである。
【００１９】
ここで基本的な電気的検出原理だが、先ほどの図４に示したように、人の手が直接透明導電層９に触れることができず、よって透明導電層９の直流的な抵抗値変化分を検出することが難しい。従って
図４とは違い、透明導電層９に信号線１１を介して交流電圧を印加しておく。そして顧客が透明導電層９の上にあるハードコート層１２に手を触れるか若しくは近接すると顧客の手または体全体における大地間の静電容量により、元々の透明導電層９が大地間に対して持っていた静電容量に変化を与えることになる。交流電圧において、静電容量変化は交流インピーダンスの変化でもあり、よって検出ユニット部３から見た透明導電層９全体のインピーダンスが変化したことになる。従って、検出ユニット部３はこの微少なインピーダンス変化を検出し、顧客の接触または接近の有無を判別することができる。この検出方法も一例であり、透明導電層のインピーダンスの変化を捕らえる方法であれば他の方式を用いても構わない。
【００２０】
尚、本発明による図４および図５における透明導電性フィルムの層構成はほんの一例であり、これに限るものではなく、基材フィルムに導電性のある層が施され、その導電性層に顧客の手が接近、若しくは接触することによって、微少な抵抗値変化や大地間との静電容量変化から人間を検出するタッチセンサー的機能を有する導電性フィルムも含まれる。さらに別の機能を高めるために、例えば紫外線または赤外線のショーケース１内への入射を低減する目的で、紫外線吸収層または赤外線吸収層を設けても構わない。
【００２１】
図４および図５における透明基材７だが、透明性を有するフィルム状の無機化合物成形物または有機化合物成形物が挙げられるが、そのフレキシビリティーと軽量性、それに何よりも加工性の点から有機化合物が好適であり、成形物の形状は表面が平滑であれば特に限定されない。また透明基材は、透明性を有すれば単一有機化合物成形物の均質構造（例えば光学的に異方性のない）が可能である。一方、フィルムの強度を強化するために同一、又は異なる有機化合物成形物を粘着・接着剤により積層構造体化した積層フィルムや、フィルムの成型時に多層構造化としたフィルムも使用可能である。
【００２２】
透明性を有する有機化合物としては、例えば、ポリアミド、ポリイミド、ポリプロピレン、ポリエチルペンテン、ポリ塩化ビニル、ポリビニルアセタール、ポリウレタン、ポリエチルメタクリレート、ポリカーボネート、ポリスチレン、ポリエチレンサルファイド、ポリエーテルスルフォン、ポリアリレート、ポリエーテルエーテルケトン、ポリエチレンテレフタレート、ポリエチレンナフタレート、トリアセチルセルロース等のプラスチックが挙げられる。特にポリエチレンテレフタレート、ポリエチレンナフタレート、ポリカーボネート等のプラスチックフィルムが透明性、強度、価格等から好適である。前記プラスチックフィルムの厚さは、目的の用途に応じて２５〜３００μｍの範囲から適宜選択され、更に目的の用途に応じて、紫外線吸収剤、赤外線吸収剤、可塑剤、滑剤、着色剤、酸化防止剤、難燃剤等が添加さてれていても特に構わないし制約を加えるものではない。
【００２３】
次に、図４および図５における透明導電層９だが、電気伝導性があれば特に制限されないが、インジウム、錫、亜鉛、チタン、ニオブ、セリウム、アンチモン等の酸化物、及び２種類以上の元素から成る複合酸化物が好適である。また、銀及び銀合金を透明酸化物で狭支した多層膜も使用可能である。形成方法も特に制限されるものではないが、ドライ法として真空蒸着法、イオンプレーティング法、プラズマ活性化蒸着法、スパッタリング法、ＣＶＤ法などがあり、Ｗｅｔ法としてゾルゲルや導電性を有する粒子を分散させ塗液を塗布乾燥する方法などがある。
【００２４】
図４および図５において、ショーケース１のガラスに貼り合わせるための粘着層１０は粘着剤を使用するのが良い。粘着剤としては、ポリアクリル酸エステルを主成分したアクリル系粘着剤、シリコーン樹脂を主成分としたシリコーン系粘着剤、また天然ゴム、合成ゴムの弾性体と粘着付与剤が主成分のゴム系粘着剤等がある。使用可能な粘着剤に制限は無いが、本発明における粘着剤としては、アクリル系あるいはシリコーン系の粘着剤が好ましい。
【００２５】
また、図５に用いるハードコート層１２は、透明導電層９の表面での高硬度化が目的で形成するものである。その効果は、鉛筆等による引っ掻き傷、スチールウールによる擦り傷等が起こらない耐禍性処理である。ハードコート層１２を形成する材料としては、透明性、適度な硬度および機械的強度を有するものであれば良く、アクリル系樹脂、有機シリコーン系樹脂、ポリシロキサン等の樹脂材料が挙げられる。
【産業上の利用可能性】
【００２６】
本発明のショーケースシステムは、スーパーマーケット等の精肉コーナー、惣菜コーナー、飲料用冷蔵コーナー、或いは宝石店での商品陳列など幅広い分野で利用できる。
【図面の簡単な説明】
【００２７】
【図１】本発明におけるショーケースシステムの概要図の一例である。
【図２】本発明におけるショーケースシステムの概要図の別の一例である。
【図３】本発明におけるショーケースシステムのさらに別の概要図である。
【図４】本発明における透明導電性フィルム部の構成を示した断面図である。
【図５】本発明における透明導電性フィルム部の構成を示したさらに別の断面図である。
【符号の説明】
【００２８】
１  ・・・ショーケース
２  ・・・透明導電性フィルム
３  ・・・検出ユニット部
４  ・・・表示装置
５  ・・・切換器
６  ・・・切換部一体型検出ユニット
７  ・・・ショーケースのガラス部
８  ・・・透明基材
９  ・・・透明導電層
１０  ・・・粘着層
１１  ・・・信号線
１２  ・・・ハードコート層
【図１】
2007215904.tif 000003
【図２】
2007215904.tif 000004
【図３】
2007215904.tif 000005
【図４】
2007215904.tif 000006
【図５】
2007215904.tif 000007